(57)【要約】【課題】  ドレンパンの排出口に詰まった塵埃を簡単に除去することができる天井吊型空気調和装置を提供する。【解決手段】  空気調和機本体１の内部が仕切り板３によって熱交換室と機械室とに仕切られ、熱交換室側のドレンパンの排出口２１が機械室側に突出した天吊型空気調和装置において、仕切り板３には機械室側から取外し自在に蓋体３３を備え、この蓋体３３を開いてドレンパンの排出口２１の内端部を機械室側から清掃自在に構成した。【選択図】      図２
2005164211.tif 000002
【特許請求の範囲】
【請求項１】
空気調和機本体の内部が仕切り板によって熱交換室と機械室とに仕切られ、熱交換室側のドレンパンの排出口が機械室側に突出した天吊型空気調和装置において、
前記仕切り板には機械室側から取外し自在に蓋体を備え、この蓋体を開いて前記ドレンパンの排出口の内端部を前記機械室側から清掃自在に構成したことを特徴とする天吊型空気調和装置。
【請求項２】
前記仕切り板には前記熱交換室側の熱交換器から延びる冷媒配管を導出するＵ字溝を備え、前記蓋体がこのＵ字溝を一緒に塞ぐ構成としたことを特徴とする請求項１記載の天吊型空気調和装置。
【請求項３】
前記冷媒配管に断熱材が巻かれ、
前記蓋体がこの断熱材を圧縮させて前記仕切り板に取り付けられていることを特徴とする請求項２記載の天吊型空気調和装置。
【請求項４】
前記蓋体が前記仕切り板に取外し自在にねじ止めされていることを特徴とする請求項１乃至３のいずれか一項記載の天吊型空気調和装置。
【発明の詳細な説明】
【技術分野】
【０００１】  本発明は天吊型空気調和装置に係り、例えば、室内天井に吊り下げられて設置される天井吊型空気調和装置に関する。
【背景技術】
【０００２】  一般に、空気調和機本体の内部が仕切り板によって熱交換室と機械室とに仕切られ、熱交換室側のドレンパンの排出口が機械室側に突出した天吊型空気調和装置が知られている（例えば、特許文献１）。この種の天井吊型空気調和装置にあっては、ドレンパンの排出口に塵埃が詰まった場合、それを除去するためには、空気調和機本体からドレンパンを取り外さなければならない。
【特許文献１】          特開平９−２７５２５１号公報
【発明の開示】
【発明が解決しようとする課題】
【０００３】  しかし、空気調和機本体からドレンパンを取り外す作業は、それが高所での作業となるために、作業員に過大な労力をかけることになると共に、台などの上に乗って作業するため安全性の面からも好ましくなかった。
そこで、本発明の目的は、上述した従来の技術が有する課題を解消し、ドレンパンの排出口に詰まった塵埃を、簡単に除去することができる天井吊型空気調和装置を提供することにある。
【課題を解決するための手段】
【０００４】  上記目的を達成するために、本発明は、空気調和機本体の内部が仕切り板によって熱交換室と機械室とに仕切られ、熱交換室側のドレンパンの排出口が機械室側に突出した天吊型空気調和装置において、前記仕切り板には機械室側から取外し自在に蓋体を備え、この蓋体を開いて前記ドレンパンの排出口の内端部を前記機械室側から清掃自在に構成したことを特徴とする。【０００５】  この場合において、前記仕切り板には前記熱交換室側の熱交換器から延びる冷媒配管を導出するＵ字溝を備え、前記蓋体がこのＵ字溝を一緒に塞ぐ構成としてもよい。
また、前記冷媒配管に断熱材が巻かれ、前記蓋体かこの断熱材を圧縮させて前記仕切り板に取り付けられていてもよい。
さらに、前記蓋体が前記仕切り板に取外し自在にねじ止めされていてもよい。
【発明の効果】
【０００６】  本発明では、仕切り板には機械室側から取外し自在に蓋体を備え、この蓋体を開いてドレンパンの排出口の内端部を機械室側から清掃自在に構成したため、ドレンパンの排出口に詰まづた塵埃を簡単に除去することができる。
【発明を実施するための最良の形態】
【０００７】  以下図面を参照して本発明の実施の形態について説明する。
図１は、本実施形態にかかる天吊型空気調和装置の内部構造を示す断面図であり、図２は、その斜視図である。
図１において、１は空気調和機本体を示し、この空気調和機本体１は、天井から吊り下げられた吊りボルトに引っ掛けられて室内天井板の下面に設置・固定されている。この空気調和機本体１の内部には、仕切り板３が設けられ、この仕切り板３によって、空気調和機本体１の内部が、熱交換室１Ａと機械室１Ｂとに仕切られている。【０００８】  熱交換室１Ａの前方には、吹出口５が形成され、この吹出口５が設けられた前面から順に、風向変更板７、熱交換器９が配置されている。この熱交換器９は、フィン・チューブ型の熱交換器であり、熱交換室１Ａ内に斜めに設置されている。
また、熱交換器９には冷媒配管が接続され、冷媒ガス配管１０Ａ及び冷媒液配管１０Ｂ（図２）は、空気調和機本体１の外に導出され、室外機（図示せず）の圧縮機、減圧装置、室外熱交換器等に接続されている。【０００９】  熱交換器９の下方には、発泡スチロール製のドレンパン１１が配置され、このドレンパン１１の下面には板金製パネル１７が設置されている。
ドレンパン１１のドレン溜まり１１Ａには、ドレン排出口２１が接続され、この排出口２１は、機械室１Ｂ側に突出している。【００１０】  この機械室１Ｂには電装箱１２及び送風機１３が配置され、この送風機１３は、図２に示すように、２台の送風機ユニットからなり、これらは一台のモータ１５で駆動されている。送風機１３の下方には、図１に示すように、樹脂製の吸込グリル２３が設置され、この吸込グリル２３には、空気清浄用のフィルタ２５が取り付けられている。
そして、送風機１３が駆動されると吸込グリル２３およびフィルタ２５を通じて室内の空気が機械室１Ｂ内に吸い込まれ、この空気は熱交換室１Ａ内の熱交換器９で熱交換された後に、吹出口５を通じて室内に吹き出される。【００１１】  本構成では、空気調和機本体１を組み立てる場合、図２を参照し、あらかじめ仕切り板３を取り付けた状態で、下方から熱交換器９を組み込み、更に、その下方に発泡スチロール製のドレンパン１１を組み付ける。下方から熱交換器９を組み込む際に、この熱交換器９に接続された冷媒ガス配管１０Ａ及び冷媒液配管１０Ｂを通すためのＵ字溝３１Ａ，３１Ｂが、仕切り板３に対して形成され、各配管を通した後に、そのＵ字溝３１Ａ，３１Ｂを塞ぐための蓋体３３が、当該仕切り板３に取り付けられている。【００１２】  本実施形態では、この蓋体３３が開かれると、図３に示すように、Ｕ字溝３１Ａ，３１Ｂに連なる開口部３５が露出する。
この開口部３５は、仕切り板３に形成されて、熱交換室１Ａと機械室１Ｂとを連通し、蓋体３３が取り外された後には、例えば、機械室１Ｂ側から作業者が手を入れれば、その手がドレンパン１１のドレン溜まり１１Ａに達し、そこに連続するドレン排出口２１の内端部を清掃自在である。【００１３】  図３〜図５は、仕切り板３に設けられた蓋体３３を示す。
この蓋体３３は、図３に示すように、その上縁部に略円弧状の溝部３３Ａ，３３Ｂを有し、下縁部には、略階段状に曲げられた当接段部３３Ｃを備えて構成されている。この蓋体３３が、図４に示すように、仕切り板３に取り付けられた場合、略円弧状の溝部３３Ａ，３３Ｂと、Ｕ字溝３１Ａ，３１Ｂとの間に、冷媒ガス配管１０Ａ及び冷媒液配管１０Ｂが夫々挟持される。【００１４】  冷媒ガス配管１０Ａ及び冷媒液配管１０Ｂには、夫々断熱材３７が巻かれており、この断熱材３７を圧縮させて挟持すれば、仕切り板３と蓋体３３との間のシール性を向上させることができる。【００１５】  図５は、蓋体３３の取り付け手順を示す。【００１６】  蓋体３３は、その上縁部に係止部３３Ｄを有し、この係止部３３Ｄを仕切り板３の孔（図示せず）に引っ掛け、そこを支点にして、蓋体３３を矢印の方向に回転させ、略階段状に曲げられた当接段部３３Ｃを、仕切り板３に形成された、同じく略階段状に曲げられた当接段部３Ｃに当接させる。その後、当接段部３３Ｃの下辺部３３Ｅと、仕切り板３に形成された片体３Ｄとを整合させ、図４に示すように、ねじ３９によって両者を連結する。当接段部３３Ｃと当接段部３Ｃとの間にパッキン（図示せず）を介装させれば、その部分のシール性を向上させることができる。【００１７】  本実施形態では、ドレンパン１１の排出口２１に塵埃が詰まった場合、図２に示すように、吸込グリル２３を取り外した後、仕切り板３の蓋体３３を取り外して、そこに露出した開口部３５を通じて、機械室１Ｂ側から手を入れる。このとき、その手はドレンパン１１のドレン溜まり１１Ａに達し、そこに連続するドレン排出口２１の内端部２１Ａ（図５参照）のごみ詰まりを簡単に清掃することができる。【００１８】  従って、高所での作業であっても、作業員に過大な労力がかからず、台などの上に乗って作業する際の安全性を十分確保することができる。【００１９】  以上、一実施形態に基づいて本発明を説明したが、本発明は、これに限定されるものではない。【００２０】  例えば、上記実施形態では、蓋体３３がＵ字溝３１Ａ，３１Ｂを一緒に塞ぐ構成としたが、これに限定されるものではなく、Ｕ字溝を塞ぐ蓋体と、ごみ詰まり清掃用の蓋体とを別々に設置してもよい。【００２１】  また、上記実施形態では、図２を参照し、左側の排出口２１の清掃を対象としたが、これに限定されず、右側の排出口２１の清掃を対象としてもよく、或いは、両方の排出口２１の清掃を対象としてもよい。
右側の排出口２１の清掃を対象とする場合、その近傍の仕切り板３に、上記同様の開口部３５を形成すると共に、その開口部３５を覆う、機械室１Ｂ側から取り外し自在な蓋体３３を設けることは云うまでもない。
【図面の簡単な説明】
【００２２】
【図１】本発明による天吊型空気調和装置の一実施形態を示す断面図である。
【図２】同じく斜視図である。
【図３】蓋体の取り付け手順を説明する図である。
【図４】蓋体の取り付け手順を説明する図である。
【図５】蓋体の取り付け手順を説明する図である。
【符号の説明】
【００２３】１  空気調和機本体
１Ａ  熱交換室
１Ｂ  機械室
３  仕切り板
９  熱交換器
１１  ドレンパン
２１  排出口
３１Ａ，３１Ｂ  Ｕ字溝
３３  蓋体
３５  開口部
【図１】
2005164211.tif 000003
【図２】
2005164211.tif 000004
【図３】
2005164211.tif 000005
【図４】
2005164211.tif 000006
【図５】
2005164211.tif 000007